(57)【要約】【課題】映像・音声ストリームを受信する機能と映像や音声を表示する機能を備える複数の受信装置が宅内ネットワークで接続されていたとしても、ユーザは、視聴する受信装置ごとに画質や音質等の視聴環境を好みに合わせて調整／設定する必要があった。【解決手段】宅内ネットワークで接続され映像を表示する手段や音声を出力する手段を備える受信装置間で、ユーザがある受信装置において、テレビジョン放送などを視聴する場合のディスプレイ手段に表示する映像信号の画質やスピーカー手段に出力する音声信号の音質等を好みに合わせて調整したユーザ設定情報を、宅内ネットワークを介して共有／活用することにより、調整のためのユーザ設定情報が設定されていない受信装置においても、ユーザの好みに合わせた同じユーザ設定情報で調整された状態で視聴することを可能とする。【選択図】図１
2008067130.tif 000002
【特許請求の範囲】
【請求項１】
ブロードバンドインターネットおよび宅内ネットワークを介して受信するインターネット放送の放送ストリーム、および電波を介して受信するデジタルテレビジョン放送の放送ストリームの内、少なくとも前記インターネット放送の放送ストリーム（映像・音声ストリーム）を受信して再生する機能を有する複数の受信装置で構成される宅内伝送システムであって、
前記受信装置は、受信した前記映像・音声ストリームをデコード処理した映像信号の画質や音声信号の音質などを調整するための映像メニューや音声メニュー等の制御情報を保持するとともに、ユーザが前記制御情報を用いて画質や音質などを設定した場合のユーザ設定情報などを保持する手段と、
前記デコード処理した映像信号を表示するディスプレイ手段への表示特性や、前記デコード処理した音声信号を出力するスピーカー手段への出力特性を、前記制御情報を用いてユーザがリモコン操作などにより選択した選択情報に基づき、あるいは、前記ユーザ設定情報に基づき画質や音質などを制御する手段と、
前記ブロードバンドインターネットおよび前記宅内ネットワークを介して前記インターネット放送を受信してユーザのリモコン操作などにより選局された放送局の放送ストリーム（映像・音声ストリーム）を出力する手段と、
前記宅内ネットワークおよび前記放送ストリーム（映像・音声ストリーム）を出力する手段が兼ね備える前記宅内ネットワークへのインターフェース手段を介して他の前記受信装置と通信制御を行い、前記宅内ネットワークを介して他の前記受信装置との間で制御データを送受信し、併せて各々の前記受信装置が保持する前記ユーザ設定情報を互いに送受信することで前記ユーザ設定情報を共有する手段を具備し、
ユーザ（Ａ）が、前記制御情報を用いて画質や音質などの調整／設定をしていない前記受信装置（ａ）で前記インターネット放送または前記デジタルテレビジョン放送を視聴する場合、
前記宅内ネットワークで接続されている前記受信装置（ａ）以外の少なくとも一つの前記受信装置（受信装置ｂ）において、前記ユーザ（Ａ）が設定した前記ユーザ（Ａ）の前記ユーザ設定情報が保持されている場合は、
前記受信装置（ａ）において、前記受信装置（ｂ）に保持されている前記ユーザ（Ａ）の前記ユーザ設定情報を基に、前記ディスプレイ手段に表示する映像信号の画質や、前記スピーカー手段に出力する音声信号の音質などの調整設定ができるようにしたことを特徴とする宅内伝送システム。
【請求項２】
ユーザが制御情報を用いて画質や音質などを設定した場合のユーザ設定情報を前記ユーザのユーザ識別情報とともに管理・保持し、前記ユーザ識別情報を前記ユーザ毎の前記ユーザ設定情報の検出に活用することにより、前記ユーザ設定情報をユーザ毎に検出して使用できるようにした受信装置により構成されることを特徴とする請求項１記載の宅内伝送システム。
【請求項３】
ユーザ毎に、受信装置に付属する前記ユーザが所有するリモコン送信手段の不揮発性記憶領域に、前記ユーザが制御情報を用いて画質や音質などを設定した場合のユーザ設定情報とともに管理・保持されるユーザ識別情報を保持し、前記ユーザが前記リモコン送信手段を用いて前記受信装置の電源をＯＮにする操作、または選局の操作をした時に、前記ユーザ識別情報を前記受信装置に通知するようにした前記リモコン送信手段を付属する前記受信装置により構成されることを特徴とする請求項２記載の宅内伝送システム。
【請求項４】
ブロードバンドインターネットおよび宅内ネットワークを介して受信するインターネット放送の放送ストリームおよび電波を介して受信するデジタルテレビジョン放送の放送ストリームの内、少なくとも前記インターネット放送の放送ストリーム（映像・音声ストリーム）を受信して再生する機能を有し、請求項１記載の宅内伝送システムを構成する受信装置であって、
受信した前記映像・音声ストリームをデコード処理した映像信号の画質や音声信号の音質などを調整するための映像メニューや音声メニュー等の制御情報を保持するとともに、ユーザが前記制御情報を用いて画質や音質などを設定した場合のユーザ設定情報などを保持するパラメータ保持手段と、
前記デコード処理した映像信号を表示するディスプレイ手段への表示特性を、前記パラメータ保持手段に保持された前記制御情報を用いてユーザがリモコン操作などにより選択した選択情報に基づき制御される、あるいは、前記パラメータ保持手段に保持された前記ユーザ設定情報に基づき制御される画質制御手段と、
前記デコード処理した音声信号を出力するスピーカー手段への出力特性を、前記パラメータ保持手段に保持された前記制御情報を用いてユーザがリモコン操作などにより選択した選択情報に基づき制御される、あるいは、前記パラメータ保持手段に保持された前記ユーザ設定情報に基づき制御される音質制御手段と、
前記ブロードバンドインターネットおよび前記宅内ネットワークを介してインターネット放送を受信してユーザのリモコン操作などにより選局された放送局の放送ストリーム（映像・音声ストリーム）を出力するとともに、前記宅内ネットワークに接続される他の前記受信装置と通信制御を行い、前記宅内ネットワークを介して他の前記受信装置との間で制御データを送受信し、併せて各々の前記受信装置が前記パラメータ保持手段に保持する画質や音質などの前記ユーザ設定情報を互いに送受信するためのインターフェースの役割を担うネットワーク手段と、
前記宅内ネットワークおよび前記ネットワーク手段を介して他の前記受信装置との間で前記制御データを送受信し、併せて各々の前記受信装置が各々の前記パラメータ保持手段において保持する画質や音質などの前記ユーザ設定情報を送受信することで前記ユーザ設定情報を共有するプロトコル手段を
具備することを特徴とする受信装置。
【請求項５】
パラメータ保持手段は、ユーザが制御情報を用いて画質や音質などを設定した場合の設定情報を前記ユーザのユーザ識別情報ともに管理・保持し、
ネットワーク手段は、前記パラメータ保持手段に保持されている画質や音質などの前記ユーザ設定情報を前記ユーザ識別情報により区別して、前記ユーザ毎の前記ユーザ設定情報として互いに送受信するためのインターフェースの役割を担い、
プロトコル手段は、前記パラメータ保持手段に保持されている画質や音質などの前記ユーザ設定情報を前記ユーザ識別情報により区別して、前記ユーザ毎の前記ユーザ設定情報として互いに送受信することで前記ユーザ設定情報を共有する
ことを特徴とする請求項４記載の受信装置。
【請求項６】
ユーザ毎に、受信装置に付属する前記ユーザが所有するリモコン送信手段の不揮発性記憶領域に、前記ユーザが制御情報を用いて画質や音質などを設定した場合のユーザ設定情報とともに管理・保持されるユーザ識別情報を保持し、前記ユーザが前記リモコン送信手段を用いて前記受信装置の電源をＯＮにする操作、または選局の操作をした時に、前記ユーザ識別情報を前記受信装置に通知するようにした前記リモコン送信手段を付属する
ことを特徴とする請求項５記載の受信装置。
【発明の詳細な説明】
【技術分野】
【０００１】
本発明は、宅内ネットワークを介して映像・音声ストリームを受信して表示する複数の受信装置で構成される宅内伝送システムにおいて、ユーザが各々の受信装置で視聴する際の視聴表示の設定と設定の制御に関する。
【背景技術】
【０００２】
テレビジョン受信装置は、ディスプレイによる映像の表示やスピーカーによる音声の出力などにおいて、ユーザである視聴者が初期設定されている画質や音質などを調整する機能を備えており、ユーザである視聴者は、これらの調整機能を利用することで、テレビジョン受信装置で視聴する時に画質や音質などを好みの状態に調整することができる。
【０００３】
また、調整機能に関する映像メニューや音声メニューなどが用意され、予め設定された調整状態（調整レベル）を選択することにより調整できる機能を備えたテレビジョン受信装置もある。
【０００４】
さらに、特許文献１には、コンテンツおよびコンテンツに関する情報が供給されるテレビジョン受信装置において、キーワードを作成するためのキーワード作成手段と、キーワードと画質および音質の少なくとも一方を調整するための調整用パラメータとを関連付けて記憶する記憶手段と、キーワード作成手段により作成されたキーワードと調整用パラメータとを関連付けて記憶手段に登録する登録手段と、コンテンツに関する情報からキーワードが抽出された場合に、抽出されたキーワードと対応する調整用パラメータにより、出力されるコンテンツの画質および音質の少なくとも一方を調整する調整手段と、を有することにより、ユーザの好みに合った視聴環境を作り出すことを学習させることができるテレビジョン受信装置が開示されている。
【特許文献１】特開２００５―９４０７２号公報
【発明の開示】
【発明が解決しようとする課題】
【０００５】
しかしながら、宅内ネットワークで接続され、映像・音声ストリームを受信するテレビジョン受信機能と、ディスプレイやスピーカーなどの映像表示手段や音声出力手段などを備える複数の受信装置において、ユーザは、ある特定の受信装置においてユーザの好みに合った視聴環境を作り出すためにディスプレイへの映像表示やスピーカーへの音声出力等を調整し視聴環境を設定したとしても、宅内ネットワークで接続されるテレビジョン受信機能を持つ他の複数の受信装置においては、上記の視聴環境を設定していないので、ユーザの好みにあった視聴環境を継承できずに、ユーザは、テレビジョン受像機能を持つ受信装置ごとに、また、テレビジョン放送を視聴する度に、ディスプレイへの映像表示やスピーカーへの音声出力等の調整を嗜好に応じて都度設定しなければならないという課題を有する。
【０００６】
本発明は、このような課題を解決しようとするもので、宅内ネットワークで接続され、映像を表示するディスプレイ手段（映像表示手段）や音声を出力するスピーカー手段（音声出力手段）を備える受信装置間で、ユーザ毎に、テレビジョン放送などを視聴する場合のディスプレイ手段に表示する映像信号やスピーカー手段に出力する音声信号等を調整するための調整設定情報を共有することで、各ユーザは、宅内ネットワークで接続されている受信装置の内の１つの受信装置において、好みに合った視聴環境を作り出すためにディスプレイ手段に表示する映像信号やスピーカー手段に出力する音声信号等を調整／設定するだけで、宅内ネットワークで接続されているどの受信装置においても、同一の調整設定情報にて調整された視聴条件で視聴することができる宅内システムを提供することを目的とする。
【課題を解決するための手段】
【０００７】
上記目的を達成するために、本願の第１の発明（請求項１に対応）の宅内伝送システムは、ブロードバンドインターネットおよび宅内ネットワークを介して受信するインターネット放送の放送ストリーム、および電波を介して受信するデジタルテレビジョン放送の放送ストリームの内、少なくとも前記インターネット放送の放送ストリーム（映像・音声ストリーム）を受信して再生する機能を有する複数の受信装置で構成される宅内伝送システムであって、前記受信装置は、受信した前記映像・音声ストリームをデコード処理した映像信号の画質や音声信号の音質などを調整するための映像メニューや音声メニュー等の制御情報を保持するとともに、ユーザが前記制御情報を用いて画質や音質などを設定した場合のユーザ設定情報などを保持する手段と、前記デコード処理した映像信号を表示するディスプレイ手段への表示特性や、前記デコード処理した音声信号を出力するスピーカー手段への出力特性を、前記制御情報を用いてユーザがリモコン操作などにより選択した選択情報に基づき、あるいは、前記ユーザ設定情報に基づき画質や音質などを制御する手段と、前記ブロードバンドインターネットおよび前記宅内ネットワークを介して前記インターネット放送を受信してユーザのリモコン操作などにより選局された放送局の放送ストリーム（映像・音声ストリーム）を出力する手段と、前記宅内ネットワークおよび前記放送ストリーム（映像・音声ストリーム）を出力する手段が兼ね備える前記宅内ネットワークへのインターフェース手段を介して他の前記受信装置と通信制御を行い、前記宅内ネットワークを介して他の前記受信装置との間で制御データを送受信し、併せて各々の前記受信装置が保持する前記ユーザ設定情報を互いに送受信することで前記ユーザ設定情報を共有する手段を具備し、ユーザ（Ａ）が、前記制御情報を用いて画質や音質などの調整／設定をしていない前記受信装置（ａ）で前記インターネット放送または前記デジタルテレビジョン放送を視聴する場合、前記宅内ネットワークで接続されている前記受信装置（ａ）以外の少なくとも一つの前記受信装置（受信装置ｂ）において、前記ユーザ（Ａ）が設定した前記ユーザ（Ａ）の前記ユーザ設定情報が保持されている場合は、前記受信装置（ａ）において、前記受信装置（ｂ）に保持されている前記ユーザ（Ａ）の前記ユーザ設定情報を基に、前記ディスプレイ手段に表示する映像信号の画質や、前記スピーカー手段に出力する音声信号の音質などの調整設定ができるようにしたことを特徴とするものである。
【０００８】
また、第２の発明（請求項４に対応）の受信装置は、ブロードバンドインターネットおよび宅内ネットワークを介して受信するインターネット放送の放送ストリームおよび電波を介して受信するデジタルテレビジョン放送の放送ストリームの内、少なくとも前記インターネット放送の放送ストリーム（映像・音声ストリーム）を受信して再生する機能を有し、請求項１記載の宅内伝送システムを構成する受信装置であって、受信した前記映像・音声ストリームをデコード処理した映像信号の画質や音声信号の音質などを調整するための映像メニューや音声メニュー等の制御情報を保持するとともに、ユーザが前記制御情報を用いて画質や音質などを設定した場合のユーザ設定情報などを保持するパラメータ保持手段と、前記デコード処理した映像信号を表示するディスプレイ手段への表示特性を、前記パラメータ保持手段に保持された前記制御情報を用いてユーザがリモコン操作などにより選択した選択情報に基づき制御される、あるいは、前記パラメータ保持手段に保持された前記ユーザ設定情報に基づき制御される画質制御手段と、前記デコード処理した音声信号を出力するスピーカー手段への出力特性を、前記パラメータ保持手段に保持された前記制御情報を用いてユーザがリモコン操作などにより選択した選択情報に基づき制御される、あるいは、前記パラメータ保持手段に保持された前記ユーザ設定情報に基づき制御される音質制御手段と、前記ブロードバンドインターネットおよび前記宅内ネットワークを介してインターネット放送を受信してユーザのリモコン操作などにより選局された放送局の放送ストリーム（映像・音声ストリーム）を出力するとともに、前記宅内ネットワークに接続される他の前記受信装置と通信制御を行い、前記宅内ネットワークを介して他の前記受信装置との間で制御データを送受信し、併せて各々の前記受信装置が前記パラメータ保持手段に保持する画質や音質などの前記ユーザ設定情報を互いに送受信するためのインターフェースの役割を担うネットワーク手段と、前記宅内ネットワークおよび前記ネットワーク手段を介して他の前記受信装置との間で前記制御データを送受信し、併せて各々の前記受信装置が各々の前記パラメータ保持手段において保持する画質や音質などの前記ユーザ設定情報を送受信することで前記ユーザ設定情報を共有するプロトコル手段を具備することを特徴とするものである。
【発明の効果】
【０００９】
本発明は、宅内ネットワークで接続され映像を表示するディスプレイ手段や音声を出力するスピーカー手段を備える受信装置間で、ユーザがある受信装置において、テレビジョン放送などを視聴する場合のディスプレイ手段に表示する映像信号やスピーカー手段に出力する音声信号等を調整したユーザ毎の設定情報を、宅内ネットワークを介して共有／活用することにより、各ユーザは、宅内ネットワークで接続されている受信装置の内の１つの受信装置において、好みに合った視聴環境を作り出すためにディスプレイ手段に表示する映像信号やスピーカー手段に出力する音声信号等を調整／設定するだけで、宅内ネットワークで接続されているどの受信装置においても、同一の調整のための設定情報により調整された視聴条件で視聴することが可能となる。
【発明を実施するための最良の形態】
【００１０】
テレビジョン受信機能における映像表示の画質調整機能や、音声出力の音質調整機能についてまず説明する。テレビジョン受信機能における画質や音質の調整には、映像メニューや音声メニューなどのユーザ操作のためのメニューが用意されている。
【００１１】
例えば、映像メニューとして用意されている項目には、以下の項目がある。
【００１２】
（１−１）スタンダード：標準の映像
（１−２）シネマ      ：映画に向いた映像
（１−３）ダイナミック：明暗がはっきりしたメリハリのある映像
（１−４）ユーザ      ：お好みに合わせてきめ細かく調整した映像
さらに、次に示すような詳細な映像メニューの設定項目が用意されている。
【００１３】
（２−１）ピクチャー  ：部屋の明るさに合わせた濃淡、明るさを調整
（２−２）黒レベル    ：夜の画面や髪の毛などを見やすく調整
（２−３）色の濃さ    ：お好みの濃さに調整
（２−４）色あい      ：肌色をきれいに調整
（２−５）シャープネス：映像の輪郭を見やすく調整
（２−６）色温度      ：お好みの色調に調整
（２−７）ビビッド    ：色をより鮮やかに調整
（２−８）明るさオート：周囲の明るさに応じた見やすい画面に調整
また、映像メニューの設定が（１−４）の「ユーザ」のとき、次に示すようなさ
らにきめ細やかな調整の項目が用意されている。
【００１４】
（３−１）輪郭強調    ：縦線の輪郭の強調度合いを調整
（３−２）ガンマ補正  ：明るさ感を調整
（３−３）黒伸長      ：中間より暗い部分の階調変化を調整
（３−４）Ｒドライブ  ：明るい部分の赤色の強さを調整
（３−５）Ｂドライブ  ：明るい部分の青色の強さを調整
（３−６）Ｒカットオフ：暗い部分の赤色の強さを調整
（３−７）Ｂカットオフ：暗い部分の青色の強さを調整
（３−８）明るさ補正  ：「ＯＮ」設定すると暗い所での映像を見やすく調整
以上が映像の調整に関する映像メニューとして用意されている項目である。
【００１５】
次に、画面のサイズや表示位置の設定のための映像メニューとして用意されている項目を以下に示す。
【００１６】
（４−１）セルフワイド：自動的にオリジナル映像を違和感の少ない映像に拡大して表                          示する調整
（４−２）ノーマル    ：オリジナル映像をそのまま表示する調整
（４−３）ジャスト    ：違和感の少ない映像に拡大する調整
（４−４）ズーム      ：全体を拡大する調整
（４−５）フル        ：左右を拡大して画面いっぱいにする調整
さらに、表示位置の設定などがきめ細かく調整できる項目も用意されている。
【００１７】
次に、音声メニューとして用意されている項目を以下に示す。
【００１８】
（５−１）オート      ：小さな音を大きく、大きな音を小さく自動調整
（５−２）スタンダード：そのままの音
（５−３）ダイナミック：メリハリ感を強調する調整
（５−４）快調        ：音の高域部分を強調する調整
さらに、次に示すような詳細な音声メニューの設定項目が用意されている。
【００１９】
（６−１）バス        ：低音を調整
（６−２）トレプル    ：高音を調整
（６−３）バランス    ：左右の音量を調整
（６−４）サラウンド  ：臨場感の調整
（６−５）イコライザー：スピーカーの音を聞き易い特性に調整
以上のような映像メニューや音声メニューなどが映像表示の画質調整や音声出力の音質調整などのために用意され、ユーザは、テレビジョン受信装置でテレビジョン番組を視聴するときに、ディスプレイ上に上記の映像メニューや音声メニューなどを表示し、これらの映像メニューや音声メニューなどを活用してリモコンなどの操作により好みの画質や音質などの設定を行うので、受信装置毎にユーザ好みの画質や音質などに設定する操作と設定を行うことができる。
【００２０】
以下、本発明を実施するための最良の形態について、図面を参照しながら説明する。
【００２１】
本発明の実施形態による宅内伝送システムは、上述したテレビジョン受信機能に備えられる映像メニューや音声メニューなどの機能を利用するものであり、宅内ネットワークで接続されている各々の受信装置において、ユーザがテレビジョン放送を視聴する時、宅内ネットワークを利用して映像メニューおよび音声メニューなどを調整するものである。
【００２２】
（実施の形態１）
図１は、本発明の実施の形態１における宅内伝送システムを構成する受信装置の構成を示すブロック図である。
【００２３】
図１において、受信装置１００は、デジタルテレビジョン放送を受信してユーザのモコン送信手段の操作などにより選局された放送局の放送ストリーム（映像・音声ストリーム）を出力するチューナー手段１０１と、ブロードバンドインターネット（図示せず）および宅内ネットワーク（図示せず）を介してインターネット放送（以下、ＩＰ放送と称す）を受信してユーザのリモコン送信手段の操作などにより選局された放送局の放送ストリーム（映像・音声ストリーム）を出力するとともに、宅内ネットワークに接続される他の受信装置と通信制御を行い、宅内ネットワークを介して他の受信装置との間で制御データを送受信し、併せて各々の受信装置が後述するパラメータ保持手段に保持するユーザが設定した画質や音質などの設定情報を互いに送受信するためのインタフェースの役割を担うネットワーク手段１０２と、宅内ネットワークを介して受信してネットワーク手段１０２から出力される映像・音声ストリームと、デジタルテレビジョン放送を受信して選局されチューナー手段１０１から出力される映像・音声ストリームを選択して出力する入力切替手段１０３と、入力切替手段１０３から出力された映像・音声ストリームを後述するディスプレイ手段２１０やスピーカー手段２２０に表示あるいは出力するために映像および音声のデコード処理をするデコーダ手段１０４と、受信装置１００においてデフォルト設定された映像メニューに関する設定情報に基づいて、あるいはユーザが映像メニューなどの制御情報を用いて設定したユーザ設定情報に基づいて映像信号の画質などを調整するための制御を行う画質調整手段１０５と、映像信号をディスプレイ手段２１０に出力する映像信号出力手段１０６と、受信装置１００にデフォルト設定された音声メニューに関する設定情報に基づいて、あるいはユーザが音声メニューなどの制御情報を用いて設定したユーザ設定情報に基づいて音声信号の音質などを調整するための制御を行う音質調整手段１０７と、音声信号をスピーカー手段２２０に出力する音声信号出力手段１０８と、テレビジョン受信機能の全体を制御するとともに、ディスプレイ手段２１０やスピーカー手段２２０への表示あるいは出力のためにユーザが画質や音質を調整／設定するために活用する映像メニューや音声メニューなどの制御情報等をディスプレイ手段２１０に表示させるように制御する制御手段１０９と、ユーザが視聴したい放送局の選局や映像メニュー、音声メニューなどの制御情報を活用して画質や音質を調整する場合などに使用するリモコン送信手段（図示せず）からの情報を受信するリモコン受信手段１１０と、宅内ネットワークおよびネットワーク手段１０２を介して他の受信装置との間で制御データを送受信し、併せて各々の受信装置が後述する各々のパラメータ保持手段において保持する画質や音質などに関するユーザ設定情報を送受信することで各々の受信装置間で上記のユーザ設定情報を共有するプロトコル手段１１１と、プロトコル手段１１１により受信された制御データ（ユーザ設定情報等）やリモコン受信手段１１０において受信した情報などを基に、制御情報を発信する制御手段１０９からの制御に基づき画質調整手段１０５および音質調整手段１０７を制御し、画質調整手段１０５とともに画質制御手段１１４を、また音質調整手段１０７とともに音声制御手段１１５を構成するパラメータ変換手段１１２と、受信した放送ストリーム（映像・音声ストリーム）をデコード処理した映像信号の画質や音声信号の音質などを調整するための映像メニュー、音声メニューなどの制御情報、デフォルト設定された映像メニュー、音声メニューに関する設定情報、およびユーザが映像メニュー、音声メニューなどの制御情報を用いて画質や音質などを設定した場合のユーザ設定情報などを保持するパラメータ保持手段１１３と、で構成される。
【００２４】
図２は本発明の実施の形態１における宅内伝送システムにおいて、宅内ネットワークを介して複数の受信装置が接続される構成の一例を示す図である。
【００２５】
図２において、受信装置Ａ２０１および受信装置Ｂ２０２は、それぞれ本発明の実施の形態１における宅内伝送システムを構成する受信装置であり、図１に示す受信装置１００と同様の構成を具備し、お互いに宅内ネットワーク３００で接続されている。
【００２６】
受信装置Ａ２０１には、受信装置Ａ２０１が出力する映像信号を表示するディスプレイ手段Ａ２１１と、受信装置Ａ２０１が出力する音声信号を再生するスピーカー手段Ａ２２１が配置されており、受信装置Ｂ２０２には、受信装置Ｂ２０２が出力する映像信号を表示するディスプレイ手段Ｂ２１２と、受信装置Ｂ２０１が出力する音声信号を再生するスピーカー手段Ｂ２２２が配置されている。
【００２７】
宅内ネットワーク３００は、イーサネット（登録商標）などの有線ＬＡＮや無線ＬＡＮなどで構成され、ルータ手段４０１は、ブロードバンドインターネット６００と宅内ネットワーク３００を接続する手段であり、また、アンテナ手段５０１は、デジタルテレビジョン放送の電波を受信する手段である。
【００２８】
図３は、本発明の実施の形態１における複数の受信装置で構成される宅内伝送システムにおいて、ユーザが一つの受信装置でテレビ番組を視聴する時に画質および音質などの調整を行い、その調整結果であるユーザ設定情報（視聴パラメータ）の設定を登録し、その登録したユーザ設定情報（視聴パラメータ）を用いて他の受信装置において同じ視聴パラメータを設定する場合の手順を示す図である。
【００２９】
図２で示すように構成された宅内伝送システムにおける受信装置Ａ２０１または受信装置Ｂ２０２に対して、ユーザがデジタルテレビジョン放送やＩＰ放送の視聴時に行う画質や音質などの調整と、ユーザが画質や音質などを調整した受信装置とは異なる未調整の受信装置においてデジタルテレビジョン放送等を視聴する場合の画質や音質などの調整について、その動作を以下に説明する。
【００３０】
まず、図１と図２を参照しながら、宅内伝送システムを構成する受信装置Ａ２０１において、デジタルテレビジョン放送やＩＰ放送のストリーム受信を行い視聴（映像表示、音声出力）する場合の受信装置Ａ２０１の動作について説明する。なお、受信装置Ａ２０１の構成は、図１に示す受信装置１００と同じ構成であるものとする。
【００３１】
デジタルテレビジョン放送の電波を受信し、ユーザにより選局された放送局の番組のストリームを出力するチューナー手段１０１からの出力信号と、ブロードバンドインターネット６００および宅内ネットワーク３００を介してＩＰ放送を受信し、ユーザにより選局された放送局の放送ストリームを出力するネットワーク手段１０２からの出力信号は、それぞれ入力切替手段１０３に入力される。入力切替手段１０３は、電波による放送とインターネットによる放送のいずれかを切り替えて選択し、ユーザが選局した放送局の放送ストリームをデコーダ手段１０４に出力する。デコーダ手段１０４は、入力切替手段１０３から入力された放送ストリームのうち、映像ストリームおよび音声ストリームをデコード処理する。デコーダ手段１０４においてデコード処理され出力された映像データ及び音声データは、それぞれ画質調整手段１０５と音質調整手段１０７に入力される。
【００３２】
画質調整手段１０５あるいは音質調整手段１０７に入力された映像データあるいは音声データは、それぞれ画質調整手段１０５あるいは音質調整手段１０７において、パラメータ変換手段１１２からの画質あるいは音質に関する制御データに基づいて信号処理を施され、それぞれ映像信号出力手段１０６あるいは音声信号出力手段１０８からディスプレイ手段２１０あるいはスピーカー手段２２０に出力されて映像表示あるいは音声出力される。
【００３３】
一方、パラメータ変換手段１１２は、宅内ネットワーク３００およびネットワーク手段１０２を介して、宅内ネットワーク３００により接続される他の受信装置（ここでは受信装置Ｂ２０２）と制御データを送信あるいは受信するプロトコル手段１１１により受信された制御データ（例えば、ユーザが設定した画質や音質などに関するユーザ設定情報）や、リモコン受信手段１１０において受信した情報などを基にして制御情報を発信する制御手段１０９からの制御に基づき、画質調整手段１０５および音質調整手段１０７を制御し、画質調整手段１０５とともに画質制御手段１１４を、また、音質調整手段１０７とともに音質制御手段１１５を構成する。
【００３４】
次に、ユーザによる受信装置における画質や音質などの視聴調整について説明する。
【００３５】
既に説明したように、テレビジョン受像機能としては、画質や音質などの調整のための映像メニューや音声メニューなどの制御情報が準備され、さまざまな項目を設定する機能が用意されている。ユーザは、視聴する際にリモコン送信手段（図示せず）を操作して、これらの用意されている制御情報の設定機能等を用いて、ディスプレイ手段２１０に表示される映像メニューや音声メニューの操作表示を基にして、映像信号や音声信号、あるいは表示形式に自らの嗜好にあった好みの設定を行う。
【００３６】
図４は、本発明の実施の形態１における受信装置の映像メニューおよび音声メニューのユーザ毎の設定データ管理テーブルの一例を示す図であるが、ユーザは、例えば、図４に示される管理テーブルにおける管理項目にしたがって、映像メニューにおける大項目：スタンダード、シネマ、ダイナミック、ユーザ、続いて中項目：ピクチャー、黒レベル、色の濃さ、色あい、シャープネス、色温度、ビビッド、明るさオート、続いて小項目：輪郭強調、ガンマ補正、黒伸長、Ｒドライブ、Ｂドライブ、Ｒカットオフ、Ｂカットオフ、明るさ補正などの映像の画質に関する設定を、続いて画面のサイズや表示位置の設定を行い、さらに、音声メニューにおける大項目、中項目の順に音質などの設定を行う。
【００３７】
次に、図１及び図２を参照しながら、ユーザにより、映像メニューや音声メニューにおけるパラメータの設定を行う場合の操作及び受信装置の動作を説明する。
【００３８】
ユーザは、宅内伝送システムを構成する一つの受信装置Ａ２０１を利用して、画質や音質などの調整をテレビジョン受像機能の操作が可能なリモコンを操作して、ユーザの嗜好にあった好みの画質や音質になるように調整を行う。このとき、ユーザは、ディスプレイ手段２１０において制御手段１０９により制御されて表示される映像メニューや音声メニューなどの制御情報の指示に従いリモコンを用いて操作する。ユーザがリモコンを操作したときに発行されるリモコンコードは、リモコン受信手段１１０で受信され、受信装置全体の制御を行う制御手段１０９に通知される。
【００３９】
制御手段１０９は、入力切替手段１０３におけるチューナー手段１０１から出力されるデジタルテレビジョン放送の放送ストリームとネットワーク手段１０２から出力されるＩＰ放送の放送ストリームとの選択制御や、デコーダ手段１０４におけるデコード処理の制御など、受信装置全体の制御を行うとともに、パラメータ変換手段１１２を介して画質調整手段１０５および音質調整手段１０７において、映像の画質やサイズの制御並びに音質の制御を行う。そのような制御を行うための制御情報、例えば、画質や音質などを調整／設定するためにユーザが活用する映像メニューや音声メニューなどの制御情報、さらには、ユーザが設定した画質や音質などに関するユーザ設定情報などはパラメータ保持手段１１３に保持される。
【００４０】
上述の図４は、このパラメータ保持手段１１３に保持されているユーザ設定情報の管理テーブルの一例を示す図である。
【００４１】
図４において、映像メニューや音声メニューにおける項目の一例を示しているが、さらにこれら以外の項目を管理テーブルに付加してもよい。また、管理テーブルは、リモコンを操作するユーザを識別するためのユーザＩＤごとに、映像メニューや音声メニューに関するデータを管理するようになっている。
【００４２】
ユーザがリモコンを操作して放送番組の視聴開始のコマンドとユーザＩＤを送信した場合、受信装置Ａ２０１はユーザから送信されたコマンドとユーザＩＤをリモコン受信手段１１０で受信し、パラメータ保持手段１１３において受信した該ユーザＩＤで管理されているデータを基にして、制御手段１０９はパラメータ変換手段１１２を制御する。パラメータ変換手段１１２は、制御手段１０９からの制御に基づき画質調整手段１０５および音質調整手段１０７を制御するためのデータにパラメータを変換する。以上のようにして、ユーザは、パラメータ保持手段１１３においてユーザの好みで設定され管理されている画質や音質などに関するデータ（ユーザ設定情報）を基に、画質調整手段１０５および音質調整手段１０７において画質や音質などが調整された状態でテレビジョン番組を視聴することが可能となる。
【００４３】
次に、ユーザが、宅内ネットワーク３００を介して接続されている他の受信装置Ｂ２０２を用いてテレビ番組を視聴する場合の画質や音質などの調整の動作を説明する。
【００４４】
ユーザＡ（ユーザを識別するユーザＩＤがユーザＡのユーザ）が宅内ネットワーク３００に接続されている受信装置Ａ２０１において、パラメータ保持手段１１３に映像メニュー・音声メニューに関するデータ（ユーザ設定情報）が管理されている状態で、宅内ネットワーク３００に接続され、映像メニュー・音声メニューに関するデータ（ユーザ設定情報）が管理されていない他の受信装置Ｂ２０２を用いてテレビ番組を視聴する場合、受信装置Ｂ２０２は、宅内ネットワーク３００に接続されている全ての受信装置について、ユーザＩＤがユーザＡのデータ（ユーザ設定情報）が管理されているか否かを確認する。データが管理されているか否かの確認は、受信装置Ｂ２０２におけるプロトコル手段１１１が宅内ネットワーク３００に接続されている他の受信装置（ここでは受信装置Ａ２０１）におけるプロトコル手段１１１に働きかけ、制御データを送信あるいは受信することにより確認する。
【００４５】
次に、図３を参照しながら、ユーザＡが受信装置Ｂ２０２を用いてテレビ番組を視聴する場合の、宅内ネットワーク３００で接続された受信装置Ｂ２０２と受信装置Ａ２０１における動作の手順を説明する。
【００４６】
ユーザＡがリモコンを用いて視聴操作を行うと、リモコンから視聴操作のコマンドが送信され、受信装置Ｂ２０２は、リモコン受信手段１１０でリモコンから送信された視聴操作のコマンドを受信し、制御手段１０９でこの視聴操作のコマンドを検出する。制御手段１０９において視聴操作のコマンドが検出されると、制御手段１０９は、まず、パラメータ保持手段１１３にユーザＡの映像メニュー・音声メニューに関するデータ（ユーザ設定情報）が管理されているか否かを確認し、管理されていないことが判明すると、宅内ネットワーク３００で接続されている他の受信装置（ここでは受信装置Ａ２０１）に対し、ユーザＡの映像メニュー・音声メニューに関するデータ（ユーザ設定情報）が管理されているか否かの検索要求を行う。ここでは、受信装置Ａ２０１に既にユーザＡの映像メニュー・音声メニューに関するユーザ設定情報の登録がなされているので、受信装置Ａ２０１は検索要求に対する応答として、受信装置Ｂ２０２に対して、登録されているユーザＡの映像メニュー・音声メニューに関するユーザ設定情報を応答する。
【００４７】
受信装置Ｂ２０２においては、受信装置Ａ２０１から宅内ネットワーク３００およびネットワーク手段１０２を介してプロトコル手段１１１で取得したユーザＡの映像メニュー・音声メニューに関する視聴設定のデータであるユーザ設定情報は、制御手段１０９の制御によりパラメータ保持手段１１３に保持される。
【００４８】
なお、受信装置Ｂ２０２は、ユーザＡの視聴の操作のタイミングに変えて、イベント（例えば、電源ＯＮ）のタイミングで宅内ネットワーク３００で接続されている他の受信装置（ここでは受信装置Ａ２０１）に対し、ユーザＡの映像メニュー・音声メニューに関するデータ（ユーザ設定情報）が管理されているか否かを問い合わせるようにしてもよい。データ（ユーザ設定情報）が管理されておれば、受信装置Ｂ２０２は他の受信装置（ここでは受信装置Ａ２０１）に対してデータ要求を発行し、他の受信装置（ここでは受信装置Ａ２０１）は、受信装置Ｂ２０２に対して、ユーザＡの映像メニュー・音声メニューに関するユーザ設定情報を応答する。受信装置Ｂ２０２は、他の受信装置（ここでは受信装置Ａ２０１）から取得したユーザＡの映像メニュー・音声メニューに関するユーザ設定情報をパラメータ保持手段１１３に格納し、パラメータ保持手段１１３のデータ管理の情報を更新する。
【００４９】
受信装置Ｂ２０２における制御手段１０９は、他の受信装置（ここでは受信装置Ａ２０１）から入手したユーザＡの映像メニュー・音声メニューに関するデータ（ユーザ設定情報）を基に、パラメータ変換手段１１２を介して画質調整手段１０５および音質調整手段１０７において、映像メニュー、音質メニューの画質や音質などに関する制御を行う。このことにより、受信装置Ｂ２０２において、宅内伝送システムを構成する他の受信装置（ここでは受信装置Ａ２０１）で設定されているユーザＡの映像メニュー・音声メニューに関するユーザ設定情報、すなわち視聴設定のデータと同じデータで制御される画像表示および音声出力を得ることができる。
【００５０】
なお、本説明の実施の形態１においては、宅内ネットワーク上に存在する任意の一つあるいは複数の受信装置、すなわち宅内伝送システムを構成する任意の一つあるいは複数の受信装置が、具体例として受信装置Ａ２０１が、特定ユーザの映像メニュー・音声メニューに関するユーザ設定情報を管理し、ユーザ設定情報を管理していない受信装置（具体例として受信装置Ｂ２０２）が宅内ネットワーク上に存在する他の受信装置に対して検索要求などをする例を示したが、これに限るものではなく、例えば、宅内ネットワーク上に存在する受信装置の１台を管理装置と定め、ユーザ毎にユーザ識別されたデータ管理の情報を管理装置と定めた受信装置にアップロードして管理し、ユーザＢが宅内ネットワークに存在する受信装置Ｃを用いてテレビ番組を視聴する場合、管理装置と定めた受信装置からユーザＢに関するデータ管理の情報（ユーザ設定情報）を取得して、その取得したユーザＢに関するデータ管理の情報（ユーザ設定情報）を受信装置Ｃに設定するようにしてもよい。
【００５１】
また、ユーザを識別する一つの方法としては、予めリモコンの不揮発性記憶領域にユーザのＩＤコードを埋め込んでユーザごとのリモコンとし、ユーザが各々のリモコンを用いて電源をＯＮあるいは選局の操作をした場合に、電源ＯＮ時の電源ＯＮコードの発行あるいは選局時の選局コードの発行と同時に、ユーザの識別が可能なユーザＩＤコードを受信装置に対して発行することで、ユーザの識別を容易に行うことができる。
【００５２】
また、本発明の実施の形態１においては、ディスプレイ手段２１０およびスピーカー手段２２０はそれぞれ受信装置の外部に設置される手段としたが、これに限るものではなく、受信装置がこれらの手段を具備する構成であってもよい。
【産業上の利用可能性】
【００５３】
本発明に係る宅内伝送システムは、デジタルテレビジョンの受信機能を有し、さらに受信し再生表示する映像の画質や音声出力の音質などの調整機能を有する複数の受信装置により構成され、各々の受信装置における画質および音質などの調整が宅内ネットワークを利用して容易に行うことが可能な宅内伝送システムに適用できる。
【図面の簡単な説明】
【００５４】
【図１】本発明の実施の形態１における宅内伝送システムを構成する受信装置の構成を示すブロック図
【図２】本発明の実施の形態１における宅内伝送システムにおいて、宅内ネットワークを介して複数の受信装置が接続される一構成例を示す図
【図３】本発明の実施の形態１における複数の受信装置で構成される宅内伝送システムにおいて、ユーザが一つの受信装置でテレビ番組を視聴する時に画質および音質などの調整を行い、その調整結果であるユーザ設定情報（視聴パラメータ）の設定を登録し、その登録したユーザ設定情報を用いて他の受信装置において同じ視聴パラメータを設定する場合の手順を示す図
【図４】本発明の実施の形態１における受信装置の映像・音声メニューのユーザ毎の設定データ管理のテーブルの一例を示す図
【符号の説明】
【００５５】
１００  受信装置
１０１  チューナー手段
１０２  ネットワーク手段
１０３  入力切替手段
１０４  デコーダ手段
１０５  画質調整手段
１０６  映像信号出力手段
１０７  音質調整手段
１０８  音声信号出力手段
１０９  制御手段
１１０  リモコン受信手段
１１１  プロトコル手段
１１２  パラメータ変換手段
１１３  パラメータ保持手段
１１４  画質制御手段
１１５  音質制御手段
２０１  受信装置Ａ
２０２  受信装置Ｂ
２１０  ディスプレイ手段
２１１  ディスプレイ手段
２１２  ディスプレイ手段
２２０  スピーカー手段
２２１  スピーカー手段
２２２  スピーカー手段
３００  宅内ネットワーク
４０１  ルータ手段
５０１  アンテナ手段
６００  インターネット
【図１】
2008067130.tif 000003
【図２】
2008067130.tif 000004
【図３】
2008067130.tif 000005
【図４】
2008067130.tif 000006